(57)【要約】      （修正有）【課題】使用時におけるマットレスの挿脱を容易にすると共に、サイズの大きなマットレスにも自在に装着できるマットレスカバーを提供する。【解決手段】マットレスの周囲を覆うカバーにおいて、マットレスカバー１のカバー本体２に、マットレスを挿脱する開口部３と、該開口部３の周縁４に伸縮自在の紐体６とを備えていることを特徴とする。前記開口部３の略中央部分には、カバー本体２を保持する保持紐７が架け渡されている。前記カバー本体２には、伸縮性を有するパイル地が用いられている。【選択図】図２
0003109450.tif 000002
【実用新案登録請求の範囲】
【請求項１】
マットレスの周囲を覆うカバーにおいて、マットレスカバーのカバー本体に、マットレスを挿脱する開口部と、該開口部の周縁に伸縮自在の紐体とを備えていることを特徴とするマットレスカバー。
【請求項２】
前記開口部の略中央部分には、カバー本体を保持する保持紐が架け渡されている請求項１記載のマットレスカバー。
【請求項３】
前記カバー本体には、伸縮性を有するパイル地が用いられている請求項１または２記載のマットレスカバー。
【考案の詳細な説明】
【技術分野】
【０００１】
本考案は、さまざまな大きさのマットレスにも自在に装着できるマットレスカバーに関する。
【背景技術】
【０００２】
従来、保湿性に優れる上に、寝姿勢全体を安定に保持でき、しかも、使用の際の肌触りや寝具に対するフィット性にも優れた寝具用カバー具が知られている（例えば特許文献１参照）。特許文献１の寝具用カバー具は、羽毛を内包しかつ寝具とほぼ同じ大きさの袋状の羽毛内包部と、羽毛内包部の四縁部にそれぞれ縫い付けられかつ羽毛内包部は寝具上に重ね合わされているときに、羽毛内包部とで寝具を包むようにその下面に当てられる複数の生地を備えている。
【特許文献１】登録実用第３０５７９５９号公報（第１−２頁、図１、図２）
【考案の開示】
【考案が解決しようとする課題】
【０００３】
しかしながら、上掲特許文献１記載の構造においては、全体構造が複雑になりコスト高に繋がるという欠点があった。また、サイズの異なる寝具においては、そのサイズに合わせたカバーを用いなければならず使用時の利便性が低下した。
【０００４】
そこで本考案の目的は、使用時におけるマットレスの挿脱を容易にすると共に、サイズの大きなマットレスにも自在に装着できるマットレスカバーを提供することにある。
【課題を解決するための手段】
【０００５】
上記課題を解決するために本考案のマットレスカバーは、マットレスの周囲を覆うカバーにおいて、マットレスカバーのカバー本体に、マットレスを挿脱する開口部と、該開口部の周縁に伸縮自在の紐体とを備えていることを特徴とする。また、本考案のマットレスカバーの開口部の略中央部分には、カバー本体を保持する保持紐が架け渡されていてもよい。さらに、本考案のマットレスカバーのカバー本体には、伸縮性を有するパイル地が用いられていてもよい。
【考案の効果】
【０００６】
本考案のマットレスカバーによれば、カバー本体に開口部と、かかる開口部の周縁に伸縮自在の紐体とを備えたことで、開口部が容易に伸縮でき、マットレスの挿脱が極めて簡便となる。また、サイズの大きなマットレスにも自在に装着することができ、高い利便性が得られる。
【０００７】
本考案のマットレスカバーの開口部の略中央部分に保持紐を架け渡すことで、保持力が高まり、使用中にカバー本体がマットレスから外れることを防ぐことができる。
【０００８】
本考案のマットレスカバーのカバー本体に伸縮性を有するパイル地を用いることで、カバー本体の伸縮性が高まり、マットレスの挿脱がさらに容易となる上、カバー本体の大きさよりサイズの大きなマットレスについても使用することができる。
【考案を実施するための最良の形態】
【０００９】
以下、本考案に係るマットレスカバーの好適実施の形態を図面に基づいて説明する。
図示するマットレスカバー１は、寝具用のマットレス１０、特に三つ折り可能なマットレス１０に被覆されるもので、挿脱が極めて簡便でサイズの大きなマットレス１０にも装着できることを特徴とする。特に、マットレスカバー１のカバー本体２には、マットレス１０を挿脱する開口部３が形成されている。また、開口部３の周縁４には伸縮自在の紐体６が備えられている。  
【００１０】
カバー本体２は、肌触りや通気性に優れたパイル地で袋状に形成されており、例えば、長さが１９５ｃｍ、幅が９１ｃｍ、厚さが５ｃｍを有する。かかるサイズに形成した場合には、同サイズのマットレスに限定されることなく、汎用のマットレス、例えば長さ１９０〜２００ｃｍ、幅が９０〜１００ｃｍ、厚さが４〜８ｃｍの範囲内にあるマットレス１０であれば適応することができる。また、カバー本体２を使用することで、図５に示すように、マットレス１０を容易に三つ折り状態に折り畳むことができる。
【００１１】
カバー本体２には、伸縮性を有するパイル地を用いることが好ましい。伸縮性を有するパイル地であれば、特に限定されることなく公知の素材を採用することができる。伸縮性を有するパイル地を用いた場合には、カバー本体２の伸縮性がより高まり、マットレス１０の挿脱が極めて容易となる。また、伸縮性が向上すればするほど、カバー本体２の大きさよりサイズの大きなマットレス１０についても使用することができる。
【００１２】
カバー本体２の下面（裏面）には、図２に示すように、開口部３が設けられている。開口部３はマットレス１０を挿脱するためのもので、より容易に挿脱できるように大形の矩形状に形成されている。
【００１３】
開口部３の周縁４には、伸縮自在の紐体６が備えられている。かかる紐体６は、伸縮性や強度に優れるゴム紐等を採用することが好ましい。開口部３に伸縮自在の紐体６を設けたことで、開口部３が容易に伸縮されてマットレス１０の挿脱が極めて簡便となる。また、開口部３を伸縮自在とすることで、サイズの大きなマットレス１０にも対応でき、高い利便性が得られる。開口部３の周縁４には装飾用のレース５が施されていてもよい。
【００１４】
また、本考案に係るマットレスカバーの他の好適例として、開口部３に保持紐７を架け渡すことが好ましい。かかる保持紐７は、伸縮性や強度に優れるゴム紐が好ましく、開口部３の長手方向の略中央部分に装着されている。かかる保持紐７を開口部３に架け渡すことで、マットレス１０との保持力が高まり、使用中にカバー本体２がマットレス１０から外れることを未然に防ぐことができる。
【００１５】
なお、マットレスカバー１に被覆されるマットレス１０は、内部に緩衝材１１を収容し、周囲にカバー１２を被覆して形成される寝具用のマットレス１０であり、大きさや素材には特に限定されるものではない。緩衝材１１は、既知のものを使用することができるが、反発弾性が低く、密度や硬さ、伸びや圧縮残留歪が高いという特性を有する低反発弾性フォームを好適に使用することができる。かかる低反発弾性フォームとは、夫々みかけ密度０．１ｇ／ｃｃ（気体・固体比９）以下のフォームをいい、発泡倍率３〜４倍（みかけ密度０．３ｇ／ｃｃ前後）を境界として、これ以下を低発泡（または高密度）フォームと分類する場合もある。
【図面の簡単な説明】
【００１６】
【図１】本考案に係るマットレスカバーの装着状態を示す斜視図である。
【図２】図１に示した前記マットレスカバーの裏面を示す斜視図である。
【図３】図１のＡ−Ａ線断面図である。
【図４】図１のＢ−Ｂ線断面図である。
【図５】図１のマットレスを三つ折り状態にした状態を示す斜視図である。
【符号の説明】
【００１７】
１    マットレスカバー
２    カバー本体
３    開口部
４    周縁
５    レース
６    紐体
７    保持紐
１０  マットレス
１１  緩衝材
１２  カバー
【図１】
0003109450.tif 000003
【図２】
0003109450.tif 000004
【図３】
0003109450.tif 000005
【図４】
0003109450.tif 000006
【図５】
0003109450.tif 000007